(57)【要約】【課題】誘引紐を誘引線に取り付ける際に、長時間両手を挙げて作業をする必要がなく、簡単に片手で取り付けることができ、また誘引紐を結ぶ作業に慣れていない者でも確実に誘引紐が外れないように取り付けることができ、さらに、収穫後に、誘引紐を簡単に撤収することのできる誘引紐吊り具を提供する。【解決手段】一本の針金を曲げて形成され、縦軸部２の上部が誘引線吊り下げ部３であり、縦軸部２の下部が誘引紐取付部４である誘引紐吊り具１であって、誘引紐取付部４は、縦軸部２の下部に、ほぼ円形のループ５を少なくとも１回半、密着して形成したものである。誘引紐１２を２度以上巻いた瘤がループ５の底部に位置し、１巻目のループと２巻目のループの間に挟まれることにより、誘引紐１２は強く引っ張れば引っ張るほど、固く保持される。【選択図】  図５
0003116875.tif 000002
【実用新案登録請求の範囲】
【請求項１】
一本の針金を曲げて形成され、縦軸部の上部が誘引線吊り下げ部であり、前記縦軸部の下部が誘引紐取付部である誘引紐吊り具において、
前記誘引紐取付部は、前記縦軸部の下部に、ほぼ円形のループを少なくとも１回半、密着して形成されたものであることを特徴とする誘引紐吊り具。
【請求項２】
前記誘引線吊り下げ部は、前記縦軸部の上部に、鋭角に折曲した角部を有するフック部と、このフック部の下方に伸びてさらに上方に折曲したヘアピン部と、このヘアピン部の先端を折曲させて前記フック部の角部の下部に位置させた直線状の戻り止め部とを連続して形成した請求項１記載の誘引紐吊り具。
【考案の詳細な説明】
【技術分野】
【０００１】
本考案は、トマト、キュウリ、ナス、メロン、花類、果樹等、植物の茎、苗、蔓、幹等（以下、「茎等」と略称することがある。）が成長する際に、茎等が自重で地面に垂れ下がり、害虫や病気等の被害を受けないように、誘引用紐で吊り上げるための紐を取り付ける誘引紐吊り具に関する。
【背景技術】
【０００２】
トマト、キュウリ、メロン、ナス、花類、果樹等の植物の茎や苗、蔓、幹は、成長するにつれ、上に伸びていこうとするが、支えがないと、その自重で垂れ下がり、地面に付いてそこから虫が付いて食べられたり、病気が発生したりする。そのため、図１２に示すように、畝１０の上部に針金線やプラスチック硬線（誘引線１１）を張り、植物を誘引するための誘引紐１２を誘引線１１に結び付け、吊り下げられた誘引紐１２を植物の茎１３に巻き付けて結んだり（図１２（ａ），（ｂ））、茎誘引用クリップ１４で茎１３と誘引紐１２を挟んだりして、茎１３が倒れないように吊り上げている（図１２（ｃ））。
【０００３】
しかし、誘引線１１は畝１０から２ｍほど上に張られているため、誘引紐１２を誘引線１１に結び付ける時は、両手を挙げて頭や顔を上方向に向けたままの作業になり、繰り返し長時間の作業は重労働である。手を挙げても誘引線１１に手が届かないときは踏み台に上がり、両手を使い、誘引紐１２を結んでいる生産者も多く、危険を伴う作業となっている。
【０００４】
生産者は通常、数千本から数万本の植物の茎を誘引するための誘引紐１２を誘引線１１に結び、吊り下げて誘引準備をしなければならない。数が多い場合は、パートタイマーやアルバイトを使って誘引紐１２を結ばせている生産者もあるが、誘引紐１２を結び慣れていないと、誤った結び方をしてしまい、茎１３に結び付けて重量が掛かったときに、誘引紐１２の結び目１２ａが誘引線１１からほどけて外れ、茎１３が倒れ、また折れたりすることがある。
【０００５】
さらに、植物が生長するにつれて、茎１３は上方へ伸びて行こうとするため、茎１３を誘引紐１２で結んでいる位置や茎誘引用クリップ１４で挟んでいる位置を上方に移動しないと、茎１３が弛んで地面に着き、茎を傷める。そこで、図１３に示すように、定植苗誘引時の位置（図１３（ａ））から誘引紐１２の結び目１２ａの位置をＡ方向に移動し、茎１３の弛みがなくなるような位置（図１３（ｂ））に結び直している。しかし、この結び直す作業も高い位置での作業であり、数も多いので、定植苗誘引時と同様に、重労働となり、時間も掛かる。
【０００６】
このような問題を解消するために、本願出願人は先に、特許文献１に記載された植物誘引紐吊りクリップを提案した。この植物誘引紐吊りクリップは、図１４（（ａ）は側面図、（ｂ）は正面図）および図１５に示すように、ヘアピン状の本体２０の上部に、一方には鋭角に折曲したフック部２１が、他方にはフック部２１の角部２１ａよりも下方において水平に折曲した戻り止め部２２がそれぞれ連設されており、本体２０の下部には、誘引紐１２が結び付けられている。誘引紐１２が結び付けられている本体２０のフック部２１を畝上部に張られた誘引線１１に引っ掛けて強く下に引っ張ることにより、図１５に示すように、本体２０をワンタッチで、誘引線１１に吊り下げることができ、誘引紐１２の下部を茎に結び付けることにより茎を誘引することができる。茎が成長したときに、本体２０をＡ方向に移動させると、本体２０はスムーズに誘引線１１に沿って移動でき、誘引紐１２に結び付けられている茎の弛みを取ることができる。このとき、茎の重量で誘引紐１２に荷重がかかり、本体２０をＢ方向に戻す力が働くが、戻り止め部２２が誘引線１１の下側に食い込むとともに、戻り止め部２２はフック部２１側に押し付けられているので、本体２０はＢ方向には戻らず、その位置に保持される。
【０００７】
また、従来より知られている誘引紐吊り具として、図１６（（ａ）は正面図、（ｂ）は側面図）に示すものがある。この誘引紐吊り具３０は、誘引紐１２の上端を結び付けるフック部３１と、縦軸部３２に対して隙間３５が生じるように先端軸部３３を曲げた輪３４とが形成されており、隙間３５から誘引線１１を輪３４の内部に通すようにしている。
この誘引紐吊り具３０は、隙間３５から輪３４を通すことにより、ワンタッチで誘引線１１に誘引紐１２を吊り下げることができる。さらに、誘引紐吊り具３０を誘引線１１に対して茎を引っ張る方向に移動させた場合、先端軸部３３が誘引線１１の下側に当たって、誘引線１１に対して抵抗となるため、誘引紐吊り具３０は戻らず、誘引紐１２は張った状態を保持される。
【０００８】
さらに、従来の誘引紐の吊り下げ具として、特許文献２に開示された掛止具がある。図１７はその掛止具４０を示す斜視図であり、誘引線１１に引っ掛けられて誘引線１１に対する移動を規制する引っ掛け固定部４１と、この引っ掛け固定部４１から垂下する連接棒部４２と、この連接棒部４２の下端部に連なり、誘引紐１２の上端部分が係止されて誘引紐１２が吊り下げられる誘引紐係止部４３から構成されている。引っ掛け固定部４１は、針金を逆Ｕ字形に折り曲げて形成されたフック部４４と、このフック部４４の下端部の一方側から横方向に伸びる横棒部４５と、この横棒部４５の先端側に設けられ針金をＵ字形に折り曲げて形成された移動規制部４６から構成されている。また、誘引紐係止部４３は、連接棒部４２の下端側に連なる針金を一旦横向きから上向きに折り曲げ、反対側へ曲げ返してフープ部４７を形成した後、さらに針金の末端側を下向きから上向きに折り曲げてＵ字部４８を形成した折曲形状を有している。
【０００９】
【特許文献１】意匠登録第１１４２７９７号公報
【特許文献２】特開平９−２９８９５１号公報
【考案の開示】
【考案が解決しようとする課題】
【００１０】
前掲の特許文献１（図１４，図１５参照）に開示された植物誘引紐吊りクリップは、誘引線１１にワンタッチで吊り下げることができ、一旦吊り下げると、誘引紐１２を揺らしても誘引線１１から容易には外れないが、外すときは、本体２０をひねることにより容易に外すことができるという利点がある。また植物の生長に応じて誘引線上を移動させたときに、誘引紐１２の張力が掛かることにより、移動先の位置で確実に止まるという利点がある。しかし、誘引紐１２の上端を本体２０に結び付けるのに手間が掛かり、結び方が正しくないと、誘引紐１２に荷重がかかったときにほどけるという問題がある。
【００１１】
図１６に記載された従来の誘引紐吊り具３０では、先端軸部３３と縦軸部３２との間の隙間３５が大きいため、誘引紐１２を緩めた状態で誘引線１１上を移動させると、誘引線１１から外れやすい。また、誘引紐吊り具３０を誘引線１１上で移動させて誘引紐１２を斜めにした状態を長く続けていると、先端軸部３３が隙間３５を小さくする方向に永久変形して、収穫後に誘引紐１２を取り外すときに、誘引紐吊り具３０を取り外しにくくなる。さらに、特許文献１の植物誘引紐吊りクリップと同様に、誘引紐１２の上端をフック部３１に結び付けるのに手間が掛かり、結び方が正しくないと、誘引紐１２に荷重がかかったときにほどけるという問題がある。
【００１２】
特許文献２（図１７参照）に開示された係止具４０では、誘引紐係止部４３のＵ字部４８の谷の部分に誘引紐１２を巻き付けた後に連接棒部４２とＵ字部４８の間の隙間に誘引紐１２の端部を挟み込むことにより、誘引紐１２を結び付けずに固定するようになっており、茎の重量が誘引紐１２に掛かると、フープ部４７とＵ字部４８の隙間が締め付けられるようになっている。しかし、大荷重がかかったり、テープ状の滑りやすいビニール紐であったりする場合、誘引紐係止部４３から誘引紐１２が滑り、ずり落ちることがある。また、誘引紐１２が取り付けられた係止具４０を誘引線１１に取り付けることで、誘引紐１２の移動と固定をすることはできるが、茎の重量が誘引紐１２に掛かっていなければ、移動中に移動規制部４６とフック部４４が誘引線１１から離脱しやすく、係止具４０が外れてしまう。さらに、腕状に伸びている引っ掛け固定部４１が嵩張り、作業性が悪いため、ほとんど使用されていない。
【００１３】
本考案は、このような従来の問題点を解消し、誘引紐を誘引線に取り付ける際に、長時間両手を挙げて作業をする必要がなく、簡単に片手で取り付けることができ、また誘引紐を結ぶ作業に慣れていないパートタイマーやアルバイトでも確実に誘引紐が外れないように取り付けることができ、さらに、収穫後に、誘引紐を簡単に撤収することのできる誘引紐吊り具を提供することを目的とする。
【課題を解決するための手段】
【００１４】
前記課題を解決するため、本考案の第１の構成は、一本の針金を曲げて形成され、縦軸部の上部が誘引線吊り下げ部であり、前記縦軸部の下部が誘引紐取付部である誘引紐吊り具において、前記誘引紐取付部は、前記縦軸部の下部に、ほぼ円形のループを少なくとも１回半、密着して形成されたものであることを特徴とする。
【００１５】
本考案の第１の構成においては、誘引紐を誘引紐吊り具の下部の誘引紐取付部に取り付けるとき、まず、片手で誘引線吊り下げ部側を持ち、他方の手で、縦軸部とほぼ円形のループの隙間の部分に、逆Ｕ字状に輪を作った誘引紐の先端を通し、強く引けば、誘引紐の輪は、円形のループの一巻目と二巻目の間に引き入れられる。次いで、誘引紐の本体側（先端側ではない方）を、前記の円形のループの一巻目と二巻目の間に少なくとも１巻き、滑りやすい素材で出来ている誘引紐の場合は２巻き以上巻き、強く引くことにより、最初に巻いた輪と次に巻いた輪が円形のループの同じ箇所で絡まり、瘤（こぶ）になる。誘引紐の本体側を強く引けば引くほど、その瘤の絡みが強くなり、針金の円形のループの一巻目と二巻目の間の接触部を瘤が通過できない。そのため、誘引紐に大きな荷重が掛かっても、誘引紐が外れることはない。この誘引紐の巻き付け作業は、片方の手で連続して行えるので、従来のように、片方の手で本体を持って他方の手で一旦フック部に誘引紐の先端を通した後、本体を持っていた手を放して、両手で誘引紐を結び付けるという複数の不連続な工程を取る必要がなくなる。
誘引紐取付部を構成する円形のループの巻数が１回半よりも少ないと、誘引紐の瘤の部分を挟む部分が形成されないか、外れやすくなり、本考案の機能を達成できない。
【００１６】
収穫後等に誘引紐を誘引紐吊り具から外すときは、誘引紐の瘤になった部分を円形のループの部分から、縦軸部の方向に移動させると、その瘤の部分は円形のループの一巻目と二巻目の間の狭着状態から解放されるため、誘引紐の本体側を軽く引っ張るだけで、誘引紐は外れる。
【００１７】
本考案の第２の構成は、第１の構成において、前記誘引線吊り下げ部は、前記縦軸部の上部に、鋭角に折曲した角部を有するフック部と、このフック部の下方に伸びてさらに上方に折曲したヘアピン部と、このヘアピン部の先端を折曲させて前記フック部の角部の下部に位置させた直線状の戻り止め部とを連続して形成したことを特徴とする。
【００１８】
この第２の構成においては、誘引紐取付部に誘引紐を取り付けた誘引紐吊り具の、縦軸部とヘアピン部との間を誘引線に差し込み、引っ張ると、縦軸部とヘアピン部の間が広がり、難なく誘引線が通過して、フック部の角部の内側に誘引線が入り込む。このとき、誘引線の下方には戻り止め部が位置するので、誘引紐吊り具を上下に動かしても、誘引線からフック部が外れることはない。また、フック部の角部に対して戻り止め部が形成されている側と反対方向に、誘引線に沿って誘引紐吊り具を移動させることは自由にできるが、誘引紐を、フック部の角部に対して戻り止め部が形成されている側に引こうとすると、戻り止め部が誘引線の下側を上方に押し付けるため、その摩擦力で、誘引紐吊り具は動かない。そのため、植物の生長にしたがって、茎を保持している誘引紐を引っ張る方向に誘引紐吊り具を誘引線に沿って移動させたとき、誘引紐の荷重によって誘引紐吊り具が引き戻されることがない。
【考案の効果】
【００１９】
本考案によれば、一本の針金を曲げて形成され、縦軸部の上部が誘引線吊り下げ部であり、縦軸部の下部が誘引紐取付部である誘引紐吊り具において、誘引紐取付部は、縦軸部の下部に、ほぼ円形のループを少なくとも１回半、密着して形成されているので、誘引紐を誘引線に取り付ける際に、長時間両手を挙げて作業をする必要がなく、簡単に片手で取り付けることができ、また誘引紐を結ぶ作業に慣れていないパートタイマーやアルバイトでも確実に誘引紐が外れないように取り付けることができ、さらに、収穫後に、誘引紐を簡単に撤収することができる。
【考案を実施するための最良の形態】
【００２０】
以下、本考案の実施の形態を、図１〜図１１を用いて説明する。
図１は本実施の形態に係る誘引紐吊り具を示すもので、（ａ）は正面図、（ｂ）は右側面図、（ｃ）は背面図、（ｄ）は左側面図である。
【００２１】
図１において、誘引紐吊り具１は、一本の針金を曲げて形成されており、縦軸部２の上部が誘引線吊り下げ部３であり、下部が誘引紐取付部４である。誘引紐取付部４は、ほぼ円形のループ５が少なくとも１回半（本例では１回と３／４）、密着して形成されている。
【００２２】
誘引線吊り下げ部３は、縦軸部２の上部に、鋭角に折曲した角部を有するフック部６と、このフック部６の下方に伸びてさらに上方に折曲したヘアピン部７と、このヘアピン部７の先端を折曲させてフック部６の角部の下部に位置させた直線状の戻り止め部８とが連続して形成されている。
【００２３】
この構成の誘引紐吊り具１に誘引紐１２を取り付ける方法を図２，図３を用いて説明する。図２は誘引紐吊り具１に誘引紐１２を取り付ける方法の第１ステップを示すもので、（ａ）は側面図、（ｂ）は背面図、図３は誘引紐吊り具１に誘引紐１２を取り付ける方法の第２ステップを示す斜視図である。
【００２４】
まず、図２に示すように、片手で誘引線吊り下げ部３側を持ち、他方の手で、縦軸部２とほぼ円形のループ５の隙間の部分に、逆Ｕ字状に輪を作った誘引紐１２の先端を通し、強く引けば、誘引紐１２の輪は、円形のループ５の一巻目と二巻目の間に引き入れられる。次いで、図３に示すように、誘引紐１２の本体側を、円形のループ５の一巻目と二巻目の間に少なくとも１巻き、巻き付け、強く引くことにより、最初に巻いた輪と次に巻いた輪が円形のループ５の同じ箇所で絡まり、瘤（こぶ）になる。誘引紐１２の本体側を強く引けば引くほど、その瘤の絡みが強くなり、針金の円形のループ５の一巻目と二巻目の間の接触部を瘤が通過できない。そのため、誘引紐１２に大きな荷重が掛かっても、誘引紐１２が外れることはない。
【００２５】
なお、扁平なビニール紐など、滑りやすい素材で出来ている誘引紐の場合は２巻き以上巻き付けると確実に固定することができる。
【００２６】
図４は、誘引紐１２を取り付けた誘引紐吊り具１を、誘引線１１に取り付ける状態を示す斜視図、図５は、誘引紐１２を取り付けた誘引紐吊り具１を、誘引線１１に取り付けた状態を示す斜視図、図６は、本実施の形態の誘引紐吊り具で茎を誘引している状態を示す説明図である。
【００２７】
図４に示すように、誘引紐１２を取り付けた誘引紐吊り具１の、縦軸部２とヘアピン部７との間を誘引線１１に差し込み、引っ張ると、縦軸部２とヘアピン部７の間が広がり、難なく誘引線１１が通過して、フック部６の角部の内側に誘引線１１が入り込む。このとき、図５に示すように、誘引線１１の下方には戻り止め部８が位置するので、誘引紐吊り具１を上下に動かしても、誘引線１１からフック部６が外れることはない。
【００２８】
また、図５に示すように、フック部６の角部に対して戻り止め部８が形成されている側と反対方向（Ａ方向）に、誘引線１１に沿って誘引紐吊り具１を移動させることは自由にできるが、誘引紐１２を、フック部６の角部に対して戻り止め部が形成されている側（Ｂ方向）に引こうとすると、戻り止め部８が誘引線１１の下側を上方に押し付けるため、その摩擦力で、誘引紐吊り具１は動かない。
【００２９】
そのため、図６に示すように、植物の生長にしたがって、茎１３を保持している誘引紐１２を引っ張る方向に誘引紐吊り具１を誘引線１１に沿って移動させたとき、誘引紐１２の荷重によって誘引紐吊り具１が引き戻されることがない。なお、図６において、１０は畝、１４は誘引紐１２の下部に取り付けられて茎１３を保持する茎誘引用クリップである。
【００３０】
図７は、収穫後などに、誘引紐吊り具１を誘引線１１から外すときの操作を示す説明図である。同図に示すように、誘引紐吊り具１の誘引紐取付部４のループ５を指でつかみ、図面上、手首を右方向（反時計回り）にほぼ半回転ひねると、フック部６と戻り止め部８との間が開き、誘引線１１から簡単に外すことができる。
【００３１】
図８および図９は、収穫後などに、誘引紐吊り具１から誘引紐１２を外すときの操作を示す説明図である。まず、図８に示すように、一方の手の指で誘引線吊り下げ部３をつまみ、他方の手で、誘引紐１２の瘤の部分をループ５から縦軸部２の方向に移動させる。そうすると、図９に示すように、瘤の部分はループ５の挟持力が無くなるので、縦軸部２でほどけ、誘引紐１２を引くと、いとも簡単に誘引紐１２が外れる。
【００３２】
以上は、一本の誘引紐１２で茎を誘引する場合の説明であるが、図１０に示すように、果樹類やナス、ピーマン、マンゴ等では、複数の誘引紐１２を束ねて誘引線１１に結び、各枝や茎を誘引することがある。複数の誘引紐１２を束ねて、畝１０の上部にある誘引線１１に結び付ける作業は、１本ずつ誘引紐１２を結び付ける作業より手間が掛かる。このような場合は、本実施の形態の誘引紐吊り具１を用いると、図１１に示すように、複数の誘引紐１２の上端部を束ねた状態で、１本のときと同様にループ５の隙間から巻き付けるだけで、複数の誘引紐１２を短時間でつなぐことができる。
なお、以上の実施の形態においては、誘引線吊り下げ部３を、フック部６と、ヘアピン部７と、戻り止め部８を有する構成としたが、これに限定されるものではなく、他の形状のフックであってもよい。
【産業上の利用可能性】
【００３３】
本考案は、誘引紐を誘引線に取り付ける際に、長時間両手を挙げて作業をする必要がなく、簡単に片手で取り付けることができ、また誘引紐を結ぶ作業に慣れていないパートタイマーやアルバイトでも確実に誘引紐が外れないように取り付けることができ、さらに、収穫後に、誘引紐を簡単に撤収することのできる誘引紐吊り具として、トマト、キュウリ、ナス、メロン、花類、果樹等の栽培に用いることができる。
【図面の簡単な説明】
【００３４】
【図１】本考案の実施の形態に係る誘引紐吊り具を示すもので、（ａ）は正面図、（ｂ）は右側面図、（ｃ）は背面図、（ｄ）は左側面図である。
【図２】本実施の形態の誘引紐吊り具に誘引紐を取り付ける方法の第１ステップを示すもので、（ａ）は側面図、（ｂ）は背面図である。
【図３】本実施の形態の誘引紐吊り具に誘引紐を取り付ける方法の第２ステップを示す斜視図である。
【図４】誘引紐を取り付けた本実施の形態の誘引紐吊り具を、誘引線に取り付ける状態を示す斜視図である。
【図５】誘引紐を取り付けた本実施の形態の誘引紐吊り具を、誘引線に取り付けた状態を示す斜視図である。
【図６】本実施の形態の誘引紐吊り具で茎を誘引している状態を示す説明図である。
【図７】本実施の形態の誘引紐吊り具を誘引線から外すときの操作を示す説明図である。
【図８】本実施の形態の誘引紐吊り具から誘引紐を外すときの操作を示す説明図である。
【図９】本実施の形態の誘引紐吊り具から誘引紐を外すときの操作を示す説明図である。
【図１０】複数の誘引紐を束ねて果樹類の枝を誘引する状態を示す説明図である。
【図１１】本実施の形態の誘引紐吊り具を用いて、複数の誘引紐を束ねて誘引する状態を示す説明図である。
【図１２】誘引線に誘引紐を結び付ける従来の方法を示す説明図である。
【図１３】植物が生長したときに誘引紐の結び目の位置を移動させる状態を示す説明図である。
【図１４】特許文献１に係る従来の植物誘引紐吊りクリップを示すもので、（ａ）は側面図、（ｂ）は正面図である。
【図１５】図１４の植物誘引紐吊りクリップを誘引線に取り付けた状態を示す説明図である。
【図１６】従来の他の誘引紐吊り具を示すもので、（ａ）は正面図、（ｂ）は側面図である。
【図１７】特許文献２に係る従来の係止具を示す斜視図である。
【符号の説明】
【００３５】
１  誘引紐吊り具
２  縦軸部
３  誘引線吊り下げ部
４  誘引紐取付部
５  ループ
６  フック部
７  ヘアピン部
８  戻り止め部
１０  畝
１１  誘引線
１２  誘引紐
１３  茎
１４  茎誘引用クリップ
【図１】
0003116875.tif 000003
【図２】
0003116875.tif 000004
【図３】
0003116875.tif 000005
【図４】
0003116875.tif 000006
【図５】
0003116875.tif 000007
【図６】
0003116875.tif 000008
【図７】
0003116875.tif 000009
【図８】
0003116875.tif 000010
【図９】
0003116875.tif 000011
【図１０】
0003116875.tif 000012
【図１１】
0003116875.tif 000013
【図１２】
0003116875.tif 000014
【図１３】
0003116875.tif 000015
【図１４】
0003116875.tif 000016
【図１５】
0003116875.tif 000017
【図１６】
0003116875.tif 000018
【図１７】
0003116875.tif 000019